(57)【要約】【課題】高輝度を得る必要がある場合であっても、より高い自由度で照射光の仕様を調整でき、かつユーザの利便性が向上する光源システムを提供する。【解決手段】本発明に係る光源システム１は、光源装置１０と、複数の光伝送路２２を有し、光源装置１０の出射面Ｓ５から出射した光が結合するライトガイド２０と、を備え、光源装置１０は、出射面Ｓ５に第１照射光を集光する第１レンズ部１５ａと、出射面Ｓ５に第２照射光を集光する第２レンズ部１５ｂと、を有し、第１発光素子１４ａの第１出射面Ｓ１に直交する第１光軸Ａ１及び第２発光素子１４ｂの第２出射面Ｓ２に直交する第２光軸Ａ２それぞれと、出射面Ｓ５に直交する出射光軸Ａ５とがなす角度が第１角度以下であり、第１照射光の集光角度及び第２照射光の集光角度それぞれが第２角度以下であり、第１角度、及び第２角度の１／２の値それぞれは、光伝送路２２の開口数に対応する受光角度よりも小さい。【選択図】図５
2020030921.tif 000002
【特許請求の範囲】
【請求項１】
光を外部へと照射する光源装置と、
複数の光伝送路を有し、前記光源装置の出射面から出射した光が結合するライトガイドと、
を備え、
前記光源装置は、
第１照射光を照射する第１発光素子を有する第１照射部と、
第２照射光を照射する第２発光素子を有する第２照射部と、
前記光源装置の出射面に前記第１照射光を集光する第１レンズ部と、
前記光源装置の出射面に前記第２照射光を集光する第２レンズ部と、
を有し、
前記第１発光素子の第１出射面に直交する第１光軸及び前記第２発光素子の第２出射面に直交する第２光軸それぞれと、前記光源装置の出射面に直交する出射光軸とがなす角度が第１角度以下であり、
前記第１レンズ部によって集光された前記第１照射光の集光角度及び前記第２レンズ部によって集光された前記第２照射光の集光角度それぞれが第２角度以下であり、
前記第１角度、及び前記第２角度の１／２の値それぞれは、前記ライトガイドを構成する前記光伝送路の開口数に対応する受光角度よりも小さい、
光源システム。
【請求項２】
前記第２角度の１／２の値を前記第１角度に足し合わせた値は、前記受光角度以下である、
請求項１に記載の光源システム。
【請求項３】
前記第１レンズ部及び前記第２レンズ部それぞれは、対応する照射部側から前記光源装置の出射面側に向けて順に配置されている第１レンズ、第２レンズ、及び第３レンズを有する、
請求項１又は２に記載の光源システム。
【請求項４】
前記第１レンズは、平凸レンズであり、
前記第２レンズは、凹凸レンズであり、
前記第３レンズは、両凸レンズであり、
各レンズは、凸面が前記光源装置の出射面側を向くように配置されている、
請求項３に記載の光源システム。
【請求項５】
前記第１レンズは、球面レンズであり、
前記第２レンズは、非球面レンズであり、
前記第３レンズは、非球面レンズである、
請求項３又は４に記載の光源システム。
【請求項６】
前記光源装置は、
第３照射光を照射する第３発光素子を有する第３照射部と、
第４照射光を照射する第４発光素子を有する第４照射部と、
前記第３照射部から出射した前記第３照射光に作用し、前記光源装置の出射面に前記第３照射光を集光する第３レンズ部と、
前記第４照射部から出射した前記第４照射光に作用し、前記光源装置の出射面に前記第４照射光を集光する第４レンズ部と、
をさらに有し、
前記第３発光素子の第３出射面に直交する第３光軸及び前記第４発光素子の第４出射面に直交する第４光軸それぞれと、前記出射光軸とがなす角度が前記第１角度以下であり、
前記第３レンズ部によって集光された前記第３照射光の集光角度及び前記第４レンズ部によって集光された前記第４照射光の集光角度それぞれが前記第２角度以下である、
請求項１乃至５のいずれか１項に記載の光源システム。
【請求項７】
前記第１角度は、２０°である、
請求項１乃至６のいずれか１項に記載の光源システム。
【請求項８】
前記第２角度は、３０°である、
請求項１乃至７のいずれか１項に記載の光源システム。
【請求項９】
光を外部へと照射する光源装置であって、
第１照射光を照射する第１発光素子を有する第１照射部と、
第２照射光を照射する第２発光素子を有する第２照射部と、
前記第１照射部から出射した前記第１照射光に作用し、前記光源装置の出射面に前記第１照射光を集光する第１レンズ部と、
前記第２照射部から出射した前記第２照射光に作用し、前記光源装置の出射面に前記第２照射光を集光する第２レンズ部と、
を備え、
前記第１発光素子の第１出射面に直交する第１光軸及び前記第２発光素子の第２出射面に直交する第２光軸それぞれと、前記光源装置の出射面に直交する出射光軸とがなす角度が２０°以下であり、
前記第１レンズ部によって集光された前記第１照射光の集光角度及び前記第２レンズ部によって集光された前記第２照射光の集光角度それぞれが３０°以下である、
光源装置。
【発明の詳細な説明】
【技術分野】
【０００１】
本発明は、光源システム及び光源装置に関する。
【背景技術】
【０００２】
従来、発光素子が照射する照射光を、任意の光学系を介して、被照射体へと伝送する光源システムが知られている。このような光源システムにおいて、被照射体における照射光の輝度を向上させるために、複数個の発光素子が照射する照射光を集めて利用することが考えられている。
【０００３】
例えば、特許文献１には、発光素子が照射する照射光を、ライトガイドを介して、被照射体へと伝送する内視鏡が開示されている。例えば、特許文献２には、複数の光源からの照射光それぞれを、集束レンズ及びコリメータレンズを介して、被照射体に照射する照明装置が開示されている。
【先行技術文献】
【特許文献】
【０００４】
【特許文献１】特許第４６７９１９８号公報
【特許文献２】特開２０１３−１６１７３４号公報
【発明の概要】
【発明が解決しようとする課題】
【０００５】
しかしながら、例えば高輝度のＬＥＤチップを発光素子として用いる場合、そのチップ面積が増大する。したがって、ライトガイドの径が小さいと、全ての照射光がライトガイドに結合することは困難となる。加えて、ＬＥＤから出射する光の広がり角は一般的に大きい。したがって、ライトガイドを構成する光伝送路の開口数が小さいと、同様に、全ての照射光がライトガイドに結合することは困難となる。したがって、特許文献１に記載のような光源システムでは、ライトガイドは、径が大きく、かつ高い開口数を有する光伝送路によって構成される必要がある。これにより、ライトガイドの仕様が制限され、結果として被照射体における照射光の仕様が制限されることになる。
【０００６】
また、特許文献２に記載のような照明装置においてライトガイドを結合させようとすると、コリメータレンズに対するライトガイドの位置調整が必要となる。ライトガイドを頻繁に交換する場合、このような位置調整を毎回行う必要があり、ユーザの利便性が低下する。
【０００７】
このような問題点に鑑みてなされた本発明の目的は、高輝度を得る必要がある場合であっても、より高い自由度で被照射体における照射光の仕様を調整でき、かつユーザの利便性が向上する光源システム及び光源装置を提供することにある。
【課題を解決するための手段】
【０００８】
上記課題を解決するために、第１の観点に係る光源システムは、
光を外部へと照射する光源装置と、
複数の光伝送路を有し、前記光源装置の出射面から出射した光が結合するライトガイドと、
を備え、
前記光源装置は、
第１照射光を照射する第１発光素子を有する第１照射部と、
第２照射光を照射する第２発光素子を有する第２照射部と、
前記第１照射部から出射した前記第１照射光に作用し、前記光源装置の出射面に前記第１照射光を集光する第１レンズ部と、
前記第２照射部から出射した前記第２照射光に作用し、前記光源装置の出射面に前記第２照射光を集光する第２レンズ部と、
を有し、
前記第１発光素子の第１出射面に直交する第１光軸及び前記第２発光素子の第２出射面に直交する第２光軸それぞれと、前記光源装置の出射面に直交する出射光軸とがなす角度が第１角度以下であり、
前記第１レンズ部によって集光された前記第１照射光の集光角度及び前記第２レンズ部によって集光された前記第２照射光の集光角度それぞれが第２角度以下であり、
前記第１角度、及び前記第２角度の１／２の値それぞれは、前記ライトガイドを構成する前記光伝送路の開口数に対応する受光角度よりも小さい。
【０００９】
第２の観点に係る光源システムでは、
前記第２角度の１／２の値を前記第１角度に足し合わせた値は、前記受光角度以下であってもよい。
【００１０】
第３の観点に係る光源システムでは、
前記第１レンズ部及び前記第２レンズ部それぞれは、対応する照射部側から前記光源装置の出射面側に向けて順に配置されている第１レンズ、第２レンズ、及び第３レンズを有してもよい。
【００１１】
第４の観点に係る光源システムでは、
前記第１レンズは、平凸レンズであり、
前記第２レンズは、凹凸レンズであり、
前記第３レンズは、両凸レンズであり、
各レンズは、凸面が前記光源装置の出射面側を向くように配置されていてもよい。
【００１２】
第５の観点に係る光源システムでは、
前記第１レンズは、球面レンズであり、
前記第２レンズは、非球面レンズであり、
前記第３レンズは、非球面レンズであってもよい。
【００１３】
第６の観点に係る光源システムでは、
前記光源装置は、
第３照射光を照射する第３発光素子を有する第３照射部と、
第４照射光を照射する第４発光素子を有する第４照射部と、
前記第３照射部から出射した前記第３照射光に作用し、前記光源装置の出射面に前記第３照射光を集光する第３レンズ部と、
前記第４照射部から出射した前記第４照射光に作用し、前記光源装置の出射面に前記第４照射光を集光する第４レンズ部と、
をさらに有し、
前記第３発光素子の第３出射面に直交する第３光軸及び前記第４発光素子の第４出射面に直交する第４光軸それぞれと、前記出射光軸とがなす角度が前記第１角度以下であり、
前記第３レンズ部によって集光された前記第３照射光の集光角度及び前記第４レンズ部によって集光された前記第４照射光の集光角度それぞれが前記第２角度以下であってもよい。
【００１４】
第７の観点に係る光源システムでは、
前記第１角度は、２０°であってもよい。
【００１５】
第８の観点に係る光源システムでは、
前記第２角度は、３０°であってもよい。
【００１６】
上記課題を解決するために、第９の観点に係る光源装置は、
光を外部へと照射する光源装置であって、
第１照射光を照射する第１発光素子を有する第１照射部と、
第２照射光を照射する第２発光素子を有する第２照射部と、
前記第１照射部から出射した前記第１照射光に作用し、前記光源装置の出射面に前記第１照射光を集光する第１レンズ部と、
前記第２照射部から出射した前記第２照射光に作用し、前記光源装置の出射面に前記第２照射光を集光する第２レンズ部と、
を備え、
前記第１発光素子の第１出射面に直交する第１光軸及び前記第２発光素子の第２出射面に直交する第２光軸それぞれと、前記光源装置の出射面に直交する出射光軸とがなす角度が２０°以下であり、
前記第１レンズ部によって集光された前記第１照射光の集光角度及び前記第２レンズ部によって集光された前記第２照射光の集光角度それぞれが３０°以下である。
【発明の効果】
【００１７】
本発明の一実施形態に係る光源システム及び光源装置によれば、高輝度を得る必要がある場合であっても、より高い自由度で被照射体における照射光の仕様を調整でき、かつユーザの利便性が向上する。
【図面の簡単な説明】
【００１８】
【図１】一実施形態に係る光源システムの上面視による外観斜視図である。
【図２】図１の光源装置及びライトガイドが分離した様子を示す分解斜視図である。
【図３】図２の光源装置単体を示す外観斜視図である。
【図４】図３の光源装置においてハウジングを省略した内観斜視図である。
【図５】図３のV−V矢線に沿った断面図である。
【図６】各レンズ部に含まれるレンズ系を具体的に示した模式図である。
【図７】各レンズ部から出射する照射光が光源装置の出射面に集光される様子をシミュレーションにより示した正面図である。
【図８】各レンズ部から出射する照射光が光源装置の出射面に集光される様子をシミュレーションにより示した斜視図である。
【発明を実施するための形態】
【００１９】
以下、添付図面を参照しながら本発明の一実施形態について説明する。以下の説明中の前後、左右、及び上下の方向は、図中の矢印の方向を基準とする。各矢印の方向は、図１乃至図８において、異なる図面同士で互いに整合している。図面によっては、簡便な図示を目的として、光源システム１における一部の構成の図示を省略する。
【００２０】
図１乃至図８を参照しながら、一実施形態に係る光源システム１の構成及び機能について主に説明する。図１は、一実施形態に係る光源システム１の上面視による外観斜視図である。図２は、図１の光源装置１０及びライトガイド２０が分離した様子を示す分解斜視図である。図２において、後述する第１放熱部１３ａ、第２放熱部１３ｂ、第３放熱部１３ｃ、及び第４放熱部１３ｄの図示は省略している。
【００２１】
図１及び図２を参照すると、光源システム１は、光を外部へと照射する光源装置１０と、複数の光伝送路２２を有し、光源装置１０の出射面から出射した光が結合するライトガイド２０とを有する。
【００２２】
ライトガイド２０は、略円筒状の外部被覆２１の内部空間に配置されている複数の光伝送路２２を有する。ライトガイド２０は、その延長方向、すなわち前後方向に沿って複数の光伝送路２２が外部被覆２１の端部から外部に突出するように構成されている。
【００２３】
光伝送路２２は、光源装置１０から出射した光を低損失で伝送可能な任意の態様で、任意の数により、外部被覆２１の内部空間に配置されていてもよい。光伝送路２２は、例えば、光ファイバであってもよい。複数の光伝送路２２を構成する各光ファイバの導波モードは、シングルモード及びマルチモードのいずれであってもよい。各光ファイバは、汎用のシングルモードファイバ、分散シフトシングルモードファイバ、及びステップインデックスマルチモード光ファイバ等、任意の種類の光ファイバであってよい。
【００２４】
光源装置１０は、ハウジング１１と、第１照射部１２ａ、第２照射部１２ｂ、第３照射部１２ｃ、及び第４照射部１２ｄと、第１放熱部１３ａ、第２放熱部１３ｂ、第３放熱部１３ｃ、及び第４放熱部１３ｄとを有する。
【００２５】
ハウジング１１の前部１１ａは、略円筒状となるように形成されている。ハウジング１１の中央部１１ｂは、前部１１ａと連続し、かつ前方から後方に向けて広がるように形成されている。ハウジング１１の後部１１ｃは、中央部１１ｂと連続して形成されている。
【００２６】
第１照射部１２ａ、第２照射部１２ｂ、第３照射部１２ｃ、及び第４照射部１２ｄは、ハウジング１１の後部１１ｃにそれぞれ取り付けられている。第１照射部１２ａ、第２照射部１２ｂ、第３照射部１２ｃ、及び第４照射部１２ｄは、例えばライトガイド２０の中心に向けて傾くように取り付けられている。
【００２７】
第１放熱部１３ａ、第２放熱部１３ｂ、第３放熱部１３ｃ、及び第４放熱部１３ｄは、第１照射部１２ａ、第２照射部１２ｂ、第３照射部１２ｃ、及び第４照射部１２ｄの後方にそれぞれ取り付けられている。第１放熱部１３ａ、第２放熱部１３ｂ、第３放熱部１３ｃ、及び第４放熱部１３ｄそれぞれは、例えば任意のヒートシンクを含み、対応する照射部から発生する熱を外部へと逃がす。
【００２８】
前方から後方に向けてライトガイド２０が光源装置１０に取り付けられると、ライトガイド２０の外部被覆２１の端面２１ａがハウジング１１の前端面１１ｄに突き当たり、光源装置１０に対するライトガイド２０の位置が決定される。ライトガイド２０は、ハウジング１１の前部１１ａの上面に形成されているねじ孔１１ｅを用いたねじ止め等の任意の締結手段によって光源装置１０に取り付けられていてもよい。この状態で、複数の光伝送路２２の端面は、ハウジング１１の前部１１ａ及び中央部１１ｂの前後方向における境界近傍に配置されている。
【００２９】
図３は、図２の光源装置１０単体を示す外観斜視図である。図３では、第１照射部１２ａ、第２照射部１２ｂ、第３照射部１２ｃ、及び第４照射部１２ｄそれぞれの内部構成の一部を透視した状態で破線により示している。図４は、図３の光源装置１０においてハウジング１１を省略した内観斜視図である。図５は、図３のV−V矢線に沿った断面図である。図５では、ハウジング１１の前部１１ａの図示は省略されている。
【００３０】
図３及び図４を参照すると、第１照射部１２ａは、第１照射光を照射する第１発光素子１４ａを有する。第２照射部１２ｂは、第２照射光を照射する第２発光素子１４ｂを有する。第３照射部１２ｃは、第３照射光を照射する第３発光素子１４ｃを有する。第４照射部１２ｄは、第４照射光を照射する第４発光素子１４ｄを有する。第１発光素子１４ａ、第２発光素子１４ｂ、第３発光素子１４ｃ、及び第４発光素子１４ｄそれぞれは、任意の発光素子を含んでもよい。例えば、各発光素子は、ＬＥＤ（Ｌｉｇｈｔ  Ｅｍｉｔｔｉｎｇ  Ｄｉｏｄｅ：発光ダイオード）素子であってもよいし、ＬＤ（Ｌａｓｅｒ  Ｄｉｏｄｅ：レーザダイオード）素子であってもよい。
【００３１】
図４を参照すると、第１発光素子１４ａの第１出射面Ｓ１の略中心を通り、第１出射面Ｓ１に直交する第１光軸Ａ１と、図５に示す光源装置１０の出射面Ｓ５の略中心を通り、出射面Ｓ５に直交する出射光軸Ａ５とは、角度θ１で互いに交わる。角度θ１は、第１角度以下である。第１角度は、例えば、ライトガイド２０を構成する光伝送路２２の開口数に対応する受光角度よりも小さい角度を含む。例えば、受光可能な角度範囲が７０°である光ファイバにおいて、開口数に対応する受光角度はその半分の３５°となる。このとき、例えば、第１角度は、２０°である。
【００３２】
図３乃至図５に示すとおり、第１発光素子１４ａの第１出射面Ｓ１に直交する第１光軸Ａ１は、出射光軸Ａ５に対して２つの方向に傾いている。より具体的には、第１光軸Ａ１は、出射光軸Ａ５に対して左右方向、及び上下方向の２つの方向に傾いている。例えば、図４に示すとおり、第１発光素子１４ａの中心位置は、出射光軸Ａ５よりも右上に位置する。このとき図５にも示すとおり、第１出射面Ｓ１は、出射面Ｓ５の略中心に向けて傾いている。これに伴い、第１照射部１２ａ全体も出射面Ｓ５の略中心に向けて傾いている。
【００３３】
例えば、受光可能な範囲が７０°である光ファイバに対して、角度θ１が第１角度である２０°に等しい場合、第１光軸Ａ１は、出射面Ｓ５側から第１発光素子１４ａを見たときに、出射光軸Ａ５に対して右側に１０°傾き、上側に１８°傾く。このように、第１光軸Ａ１と出射光軸Ａ５とは、出射光軸Ａ５を含み、上下前後方向に沿って広がる平面及び出射光軸Ａ５を含み、左右前後方向に沿って広がる平面上で交わらずに、それぞれの平面に対して所定の角度で傾いた平面上で互いに交わる。
【００３４】
第２発光素子１４ｂ、第３発光素子１４ｃ、及び第４発光素子１４ｄも同様の構成を有する。
【００３５】
より具体的には、第２発光素子１４ｂの第２出射面Ｓ２の略中心を通り、第２出射面Ｓ２に直交する第２光軸Ａ２と、出射光軸Ａ５とは、角度θ２で互いに交わる。角度θ２は、上述した第１角度以下である。例えば、図４に示すとおり、第２発光素子１４ｂの中心位置は、出射光軸Ａ５よりも左上に位置する。例えば、受光可能な範囲が７０°である光ファイバに対して、角度θ２が第１角度である２０°に等しい場合、第２光軸Ａ２は、出射面Ｓ５側から第２発光素子１４ｂを見たときに、出射光軸Ａ５に対して左側に１０°傾き、上側に１８°傾く。
【００３６】
第３発光素子１４ｃの第３出射面Ｓ３の略中心を通り、第３出射面Ｓ３に直交する第３光軸Ａ３と、出射光軸Ａ５とは、角度θ３で互いに交わる。角度θ３は、上述した第１角度以下である。例えば、図４に示すとおり、第３発光素子１４ｃの中心位置は、出射光軸Ａ５よりも左下に位置する。例えば、受光可能な範囲が７０°である光ファイバに対して、角度θ３が第１角度である２０°に等しい場合、第３光軸Ａ３は、出射面Ｓ５側から第３発光素子１４ｃを見たときに、出射光軸Ａ５に対して左側に１０°傾き、下側に１８°傾く。
【００３７】
第４発光素子１４ｄの第４出射面Ｓ４の略中心を通り、第４出射面Ｓ４に直交する第４光軸Ａ４と、出射光軸Ａ５とは、角度θ４で互いに交わる。角度θ４は、上述した第１角度以下である。例えば、図４に示すとおり、第４発光素子１４ｄの中心位置は、出射光軸Ａ５よりも右下に位置する。例えば、受光可能な範囲が７０°である光ファイバに対して、角度θ４が第１角度である２０°に等しい場合、第４光軸Ａ４は、出射面Ｓ５側から第４発光素子１４ｄを見たときに、出射光軸Ａ５に対して右側に１０°傾き、下側に１８°傾く。
【００３８】
図４及び図５を参照すると、光源装置１０は、第１レンズ部１５ａ、第２レンズ部１５ｂ、第３レンズ部１５ｃ、及び第４レンズ部１５ｄをさらに有する。
【００３９】
第１レンズ部１５ａは、第１照射部１２ａ、より具体的には第１発光素子１４ａの前方に配置され、第１発光素子１４ａと対向する。第１レンズ部１５ａは、第１照射部１２ａから出射した第１照射光に作用し、光源装置１０の出射面Ｓ５に第１照射光を集光する。
【００４０】
第２レンズ部１５ｂは、第２照射部１２ｂ、より具体的には第２発光素子１４ｂの前方に配置され、第２発光素子１４ｂと対向する。第２レンズ部１５ｂは、第２照射部１２ｂから出射した第２照射光に作用し、光源装置１０の出射面Ｓ５に第２照射光を集光する。
【００４１】
第３レンズ部１５ｃは、第３照射部１２ｃ、より具体的には第３発光素子１４ｃの前方に配置され、第３発光素子１４ｃと対向する。第３レンズ部１５ｃは、第３照射部１２ｃから出射した第３照射光に作用し、光源装置１０の出射面Ｓ５に第３照射光を集光する。
【００４２】
第４レンズ部１５ｄは、第４照射部１２ｄ、より具体的には第４発光素子１４ｄの前方に配置され、第４発光素子１４ｄと対向する。第４レンズ部１５ｄは、第４照射部１２ｄから出射した第４照射光に作用し、光源装置１０の出射面Ｓ５に第４照射光を集光する。
【００４３】
図６は、各レンズ部に含まれるレンズ系を具体的に示した模式図である。図６において、一例として第４レンズ部１５ｄに含まれるレンズ系が示されているが、第１レンズ部１５ａ、第２レンズ部１５ｂ、及び第３レンズ部１５ｃそれぞれに含まれるレンズ系も同様の構成を有する。図６を用いた第４レンズ部１５ｄに関する以下の説明は、第１レンズ部１５ａ、第２レンズ部１５ｂ、及び第３レンズ部１５ｃに対しても同様に適用される。
【００４４】
図６における点線は、第４発光素子１４ｄの上端から出射する第４照射光の伝搬経路を示す。図６における実線は、第４発光素子１４ｄの中心から出射する第４照射光の伝搬経路を示す。図６における破線は、第４発光素子１４ｄの下端から出射する第４照射光の伝搬経路を示す。
【００４５】
図６を参照すると、第４レンズ部１５ｄは、例えば、第４照射部１２ｄ側から光源装置１０の出射面Ｓ５側に向けて順に配置されている第１レンズ１６ａ、第２レンズ１６ｂ、及び第３レンズ１６ｃを有する。
【００４６】
第４レンズ部１５ｄは、一例として３つのレンズを有するとして説明するが、その構成はこれに限定されない。第４レンズ部１５ｄは、第４照射光を出射面Ｓ５に集光可能な任意の数のレンズを有してもよい。
【００４７】
例えば、第１レンズ１６ａは、平凸レンズである。例えば、第２レンズ１６ｂは、凹凸レンズである。例えば、第３レンズ１６ｃは、両凸レンズである。各レンズは、凸面が光源装置１０の出射面Ｓ５側を向くように配置されている。
【００４８】
さらに、例えば、第１レンズ１６ａは、球面レンズである。例えば、第２レンズ１６ｂは、非球面レンズである。例えば、第３レンズ１６ｃは、非球面レンズである。
【００４９】
第１レンズ１６ａは、第４発光素子１４ｄから出射する第４照射光が大きく広がる位置を、第４発光素子１４ｄの第４出射面Ｓ４から前側にずらす。加えて、第１レンズ１６ａは、第４発光素子１４ｄから出射する第４照射光の略全体を漏らさずに取り込む。
【００５０】
第２レンズ１６ｂは、第１レンズ１６ａから大きな広がり角を持った状態で出射した第４照射光の広がりを抑制する。すなわち、第２レンズ１６ｂは、第４照射光の配光を狭める。さらに、第２レンズ１６ｂの凹面は、第１レンズ１６ａから大きな広がり角を持った状態で出射した第４照射光の略全体を漏らさずに取り込む。
【００５１】
第３レンズ１６ｃは、第２レンズ１６ｂによって配光が狭められた第４照射光を光源装置１０の出射面Ｓ５に集光する。光源装置１０の出射面Ｓ５は、例えば略円形状に形成されていてもよい。
【００５２】
第４レンズ部１５ｄによって集光された第４照射光の集光角度θ５は、第２角度以下である。第２角度の１／２の値は、例えば、ライトガイド２０を構成する光伝送路２２の開口数に対応する受光角度よりも小さい角度を含む。例えば、受光可能な範囲が７０°である光ファイバであって、開口数に対応する受光角度が３５°となる場合、第２角度の１／２の値は、１５°であってもよい。すなわち、第２角度は、３０°であってもよい。
【００５３】
第２角度の１／２の値を第１角度に足し合わせた値は、ライトガイド２０を構成する光伝送路２２の開口数に対応する受光角度以下であってもよい。例えば、受光可能な範囲が７０°である光ファイバに対して、第１角度が２０°であってもよく、第２角度が３０°であってもよく、この場合、第２角度の１／２の値を第１角度に足し合わせた値は、３５°となり、光ファイバの開口数に対応する受光角度３５°と等しい。
【００５４】
図７は、各レンズ部から出射する照射光が光源装置１０の出射面Ｓ５に集光される様子をシミュレーションにより示した正面図である。図８は、各レンズ部から出射する照射光が光源装置１０の出射面Ｓ５に集光される様子をシミュレーションにより示した斜視図である。図７及び図８において、破線は、第１レンズ部１５ａから出射する第１照射光Ｌ１の伝搬経路を示す。同様に、二点鎖線は、第２レンズ部１５ｂから出射する第２照射光Ｌ２の伝搬経路を示す。一点鎖線は、第３レンズ部１５ｃから出射する第３照射光Ｌ３の伝搬経路を示す。実線は、第４レンズ部１５ｄから出射する第４照射光Ｌ４の伝搬経路を示す。
【００５５】
図７及び図８を参照すると、第１照射光Ｌ１、第２照射光Ｌ２、第３照射光Ｌ３、及び第４照射光Ｌ４それぞれは、対応する発光素子から出射した後、対応するレンズ部を通過して、最終的に光源装置１０の出射面Ｓ５に集光される。ライトガイド２０が光源装置１０に取り付けられると、ハウジング１１の前部１１ａ及び中央部１１ｂの前後方向における境界近傍に配置されている複数の光伝送路２２の端面Ｓ６は、出射面Ｓ５と同一平面内に位置する。すなわち、出射面Ｓ５と端面Ｓ６とは、前後方向に互いに同一の位置に配置されていてもよい。これに限定されず、出射面Ｓ５と端面Ｓ６とは、前後方向に互いに対向し、近接した状態で配置されていてもよい。
【００５６】
例えば、出射面Ｓ５の略中心を通り、出射面Ｓ５に直交する図５の出射光軸Ａ５と、ライトガイド２０の中心軸とが互いに一致してもよい。さらに、例えば、図７に示すとおり、前方から後方に向けて見たときの正面視において、出射面Ｓ５の全体が、複数の光伝送路２２の略円形状の端面Ｓ６の内側に含まれていてもよい。これにより、出射面Ｓ５に集光された第１照射光Ｌ１、第２照射光Ｌ２、第３照射光Ｌ３、及び第４照射光Ｌ４の略全体が漏れなく複数の光伝送路２２と結合し、光源装置１０の出射面Ｓ５から出射した光がライトガイド２０によって伝送される。
【００５７】
なお、図７及び図８では、光源装置１０の出射面Ｓ５は、図６の略円形状と異なり、略矩形状に形成されているが、光源装置１０の出射面Ｓ５は、これら略円形状及び略矩形状を含む任意の形状で形成されていてもよい。例えば、光源装置１０の出射面Ｓ５が図６のように略円形状に形成されている場合、図７の略円形状の端面Ｓ６と出射面Ｓ５とは、互いの中心軸を同軸として互いに前後方向に重畳するように配置されていてもよい。このとき、出射面Ｓ５の直径は、端面Ｓ６の直径以下であってもよい。
【００５８】
以上のような一実施形態に係る光源システム１及び光源装置１０によれば、高輝度を得る必要がある場合であっても、より高い自由度で被照射体における照射光の仕様を調整でき、かつユーザの利便性が向上する。
【００５９】
より具体的には、光源システム１及び光源装置１０が複数個の発光素子を有し、対応するレンズ部によって各照射光を出射面Ｓ５に集光することで、高輝度のＬＥＤチップを発光素子として用いるような場合であっても、ライトガイド２０の仕様が不必要に制限されない。すなわち、一般的な仕様を有する任意のライトガイド２０が使用可能である。より具体的には、高輝度のＬＥＤチップによってチップ面積が増大したとしても、照射光を集光する出射面Ｓ５の面積を調整することで、ＬＥＤチップのチップ面積に応じてライトガイド２０の径を不必要に大きくすることなく結合効率が維持可能である。
【００６０】
このようなライトガイド２０の径に関する効果は、発光素子が複数個配置されるような場合にさらに顕著になる。例えば、ライトガイド２０に含まれる複数の光伝送路２２を端面Ｓ６側で発光素子の数に合わせて複数の組に分岐し、分岐された複数の組の各端面を、特許文献１に記載の発明のように各発光素子に押し付けて各照射光を結合させる場合を考える。このとき、高輝度のＬＥＤチップによってチップ面積が増大すると、分岐した複数の組それぞれにおける径が増大し、それらを束ねたライトガイド２０全体の径はさらに増大することとなる。一実施形態に係る光源システム１及び光源装置１０は、発光素子が複数個配置されるような場合であっても、各照射光を出射面Ｓ５に集光させるので、出射面Ｓ５の面積を調整することで、ライトガイド２０の径に関する不必要な大型化を抑制できる。
【００６１】
加えて、各発光素子の各出射面に直交する各光軸が第１角度以下で出射光軸Ａ５と交わり、各レンズ部によって集光された各照射光の集光角度θ５が第２角度以下であることで、ライトガイド２０を構成する光伝送路２２の開口数が不必要に大きくならない。すなわち、発光素子から出射する光の広がり角が大きいような場合であっても、当該広がり角に合わせて光伝送路２２の開口数を不必要に大きくすることなく結合効率が維持可能である。
【００６２】
以上により、例えば径及び開口数を含むライトガイド２０の仕様が不必要に制限されないので、高い自由度で被照射体における照射光の仕様が調整可能である。
【００６３】
光源システム１及び光源装置１０では、各発光素子側に配置されている各レンズ部によって、各照射光が出射面Ｓ５に集光される。すなわち、各照射光をライトガイド２０へ効率良く結合させるために、ライトガイド２０の端面Ｓ６側にレンズ及びミラー等を含む任意の光学素子をさらに配置する必要性が少ない。ライトガイド２０が光源装置１０に取り付けられるだけで、各照射光が高効率でライトガイド２０と結合可能である。したがって、光源装置１０に含まれる光学系に対するライトガイド２０の精密な位置調整が不要であり、ライトガイド２０を頻繁に交換する場合であっても、ユーザの利便性が向上する。
【００６４】
第２角度の１／２の値を第１角度に足し合わせた値が光伝送路２２の開口数に対応する受光角度以下であることで、各照射光のライトガイド２０への結合効率が向上する。すなわち、光伝送路２２の受光角度に基づいて、各発光素子を傾けかつ各照射光の集光角度θ５を決定することで、各照射光の略全体を漏れなくライトガイド２０に結合させることが可能となる。
【００６５】
光源システム１及び光源装置１０が４つの発光素子を有し、上述したとおり各照射光のライトガイド２０への結合効率が向上することで、被照射体における照射光の輝度が向上する。例えば、光源システム１及び光源装置１０は、１０，０００ルーメンの輝度を達成可能である。
【００６６】
各レンズ部と出射面Ｓ５との間にミラー等の付加的な光学素子が配置されていないことで、光路長が短くなり、集光効率が向上する。例えば、複数の発光素子の全てを出射光軸Ａ５と同軸上に配置し、ミラー等で各照射光を出射面Ｓ５まで導くような場合、光路長が長くなり、集光効率が低下する。光源システム１及び光源装置１０では、各発光素子が出射光軸Ａ５に対して傾くことで、ミラー等の付加的な光学素子が省略され、集光効率が向上する。
【００６７】
各レンズ部が第１レンズ１６ａ、第２レンズ１６ｂ、及び第３レンズ１６ｃを有することで、各照射光を出射面Ｓ５へ集光させるための光学調整の自由度が向上する。加えて、３つのレンズという最小限の構成を有し、レンズの数を不必要に大きくしないことで、光がレンズによって吸収されることで生じる照射光の輝度の低下が抑制される。
【００６８】
第１レンズ１６ａが平凸レンズであり、第２レンズ１６ｂが凹凸レンズであり、第３レンズ１６ｃが両凸レンズであることで、各発光素子から大きな広がり角を持った状態で出射した各照射光の略全体を効率良く集光することができる。例えば、各発光素子がＬＥＤ素子である場合、１２０°以上の広がり角で各照射光が拡散する。第１レンズ１６ａは、各照射光が大きく広がる位置を前方に移し、第２レンズ１６ｂの凹面は、拡散しようとする各照射光を漏れなく取り込む。そして、第３レンズ１６ｃは、各照射光を出射面Ｓ５に集光する。このように、段階的に光を集光することで、各照射光の略全体を効率良く集光することができる。
【００６９】
第２レンズ１６ｂ及び第３レンズ１６ｃが非球面レンズであることで、出射面Ｓ５近傍における各照射光の球面収差が抑制される。したがって、光源装置１０は、出射面Ｓ５の面積を低減して、より狭い範囲内に各照射光を集光可能である。
【００７０】
本発明は、その精神又はその本質的な特徴から離れることなく、上述した実施形態以外の他の所定の形態で実現できることは当業者にとって明白である。したがって、先の記述は例示的であり、これに限定されない。発明の範囲は、先の記述によってではなく、付加した請求項によって定義される。あらゆる変更のうちその均等の範囲内にあるいくつかの変更は、その中に包含されるとする。
【００７１】
例えば、上述した各構成部の形状、配置、向き、角度、及び個数等は、上記の説明及び図面における図示の内容に限定されない。各構成部の形状、配置、向き、角度、及び個数等は、その機能を実現できるのであれば、任意に構成されてもよい。
【００７２】
第２角度の１／２の値を第１角度に足し合わせた値が光伝送路２２の開口数に対応する受光角度以下であるとして説明したが、これに限定されない。各照射光のライトガイド２０への結合効率が維持されるのであれば、第２角度の１／２の値を第１角度に足し合わせた値が受光角度以下でなくてもよい。
【００７３】
各レンズ部は、光がレンズによって吸収されることで生じる照射光の輝度の低下が極度に大きくならない範囲で、４つ以上の数のレンズを有してもよい。
【００７４】
第１レンズ１６ａ、第２レンズ１６ｂ、及び第３レンズ１６ｃそれぞれの面形状は、上記の組み合わせに限定されない。第１レンズ１６ａ、第２レンズ１６ｂ、及び第３レンズ１６ｃそれぞれは、各照射光を出射面Ｓ５に集光可能な任意の面形状を有してもよい。例えば、第１レンズ１６ａは、平凸レンズではなく凹凸レンズであってもよいし、球面レンズではなく非球面レンズであってもよい。第１レンズ１６ａが凹凸レンズである場合、第１レンズ１６ａは、各発光素子から大きな広がり角で拡散する各照射光を凹面側で漏らさずにより効率良く取り込むことができる。例えば、第２レンズ１６ｂは、凹凸レンズではなく平凸レンズであってもよい。例えば、第２レンズ１６ｂ及び第３レンズ１６ｃは、非球面レンズではなく球面レンズであってもよい。
【００７５】
照射部の数は４つに限定されない。照射部の数は任意であってもよい。例えば、照射部の数は２つ又は３つであってもよいし、５つ以上であってもよい。例えば、照射部の数が５つである場合、図４に示す第１照射部１２ａ、第２照射部１２ｂ、第３照射部１２ｃ、及び第４照射部１２ｄの間、すなわち、出射光軸Ａ５と同軸をなすように第５照射部が中央に配置されていてもよい。この場合、第５照射部から出射する第５照射光はライトガイド２０の径に合わせた平行光であってもよい。このように、光源の追加及び平行光による高結合効率に起因して、被照射体における照射光の輝度がさらに向上する。
【００７６】
上記では一例として、ライトガイド２０を構成する光伝送路２２の受光可能な角度範囲が７０°である場合を説明したが、これに限定されない。光源システム１は、光伝送路２２の受光可能な角度範囲が任意の値を有するライトガイド２０を有してもよい。例えば、光伝送路２２の受光可能な角度範囲は、汎用性の高い６０°から８０°までのいずれかの値であってもよいし、１２０°であってもよい。例えば、光伝送路２２の受光可能な角度範囲が６０°である場合、第１角度は１５°であってもよいし、第２角度の１／２の値は５°であってもよい。すなわち、第２角度は、１０°であってもよい。例えば、光伝送路２２の受光可能な角度範囲が８０°である場合、第１角度は２３°であってもよいし、第２角度の１／２の値は１２°であってもよい。すなわち、第２角度は、２４°であってもよい。例えば、光伝送路２２の受光可能な角度範囲が１２０°である場合、第１角度は２７°であってもよいし、第２角度の１／２の値は１５°であってもよい。すなわち、第２角度は、３０°であってもよい。
【００７７】
各発光素子は、例えば、互いに同一の波長スペクトルを有するＬＥＤ素子であってもよいし、互いに異なる波長スペクトルを有するＬＥＤ素子であってもよい。例えば、互いに波長スペクトルの異なるＬＥＤ素子を意図的に組み合わせることで、光源システム１及び光源装置１０は、演色性の優れた照射光を照射可能である。
【００７８】
光源システム１及び光源装置１０は、工業用途及び医療用途等の任意の用途で使用されてもよい。例えば、光源システム１及び光源装置１０は、任意の検査対象物の検査部位を照らすための検査用光源として用いられてもよい。
【符号の説明】
【００７９】
１      光源システム
１０    光源装置
１１    ハウジング
１１ａ  前部
１１ｂ  中央部
１１ｃ  後部
１１ｄ  前端面
１１ｅ  ねじ孔
１２ａ  第１照射部
１２ｂ  第２照射部
１２ｃ  第３照射部
１２ｄ  第４照射部
１３ａ  第１放熱部
１３ｂ  第２放熱部
１３ｃ  第３放熱部
１３ｄ  第４放熱部
１４ａ  第１発光素子
１４ｂ  第２発光素子
１４ｃ  第３発光素子
１４ｄ  第４発光素子
１５ａ  第１レンズ部
１５ｂ  第２レンズ部
１５ｃ  第３レンズ部
１５ｄ  第４レンズ部
１６ａ  第１レンズ
１６ｂ  第２レンズ
１６ｃ  第３レンズ
２０    ライトガイド
２１    外部被覆
２１ａ  端面
２２    光伝送路
Ａ１    第１光軸
Ａ２    第２光軸
Ａ３    第３光軸
Ａ４    第４光軸
Ａ５    出射光軸
Ｌ１    第１照射光
Ｌ２    第２照射光
Ｌ３    第３照射光
Ｌ４    第４照射光
Ｓ１    第１出射面
Ｓ２    第２出射面
Ｓ３    第３出射面
Ｓ４    第４出射面
Ｓ５    出射面
Ｓ６    端面
θ１、θ２、θ３、θ４  角度
θ５    集光角度
【図１】
2020030921.tif 000003
【図２】
2020030921.tif 000004
【図３】
2020030921.tif 000005
【図４】
2020030921.tif 000006
【図５】
2020030921.tif 000007
【図６】
2020030921.tif 000008
【図７】
2020030921.tif 000009
【図８】
2020030921.tif 000010
【手続補正書】
【提出日】平成30年12月7日(2018.12.7)
【手続補正１】
【補正対象書類名】特許請求の範囲
【補正対象項目名】全文
【補正方法】変更
【補正の内容】
【特許請求の範囲】
【請求項１】
光を外部へと照射する光源装置と、
複数の光伝送路を有し、前記光源装置の出射面から出射した光が結合するライトガイドと、
を備え、
前記光源装置は、照射部及びレンズ部を４組有し、
前記照射部は、照射光を照射するＬＥＤ素子を有し、
前記レンズ部は、前記光源装置の出射面に前記照射光を集光し、
前記ＬＥＤ素子の出射面に直交する光軸と、前記光源装置の出射面に直交する出射光軸とがなす角度が第１角度以下であり、
前記レンズ部によって集光された前記照射光の集光角度が第２角度以下であり、
前記第１角度、及び前記第２角度の１／２の値それぞれは、前記ライトガイドを構成する前記光伝送路の開口数に対応する受光角度よりも小さく、
４つの前記光軸のそれぞれは、前記出射光軸に直交する第１軸に対して同一の角度で傾き、前記出射光軸及び前記第１軸に直交する第２軸に対して同一の角度で傾き、前記第１軸に沿った２つの方向のうちの一の方向と、前記第２軸に沿った２つの方向のうちの一の方向との組み合わせが異なるように傾く、
光源システム。
【請求項２】
前記第２角度の１／２の値を前記第１角度に足し合わせた値は、前記受光角度以下である、
請求項１に記載の光源システム。
【請求項３】
前記レンズ部は、前記照射部側から前記光源装置の出射面側に向けて順に配置されている第１レンズ、第２レンズ、及び第３レンズを有する、
請求項１又は２に記載の光源システム。
【請求項４】
前記第１レンズは、平凸レンズであり、
前記第２レンズは、凹凸レンズであり、
前記第３レンズは、両凸レンズであり、
各レンズは、凸面が前記光源装置の出射面側を向くように配置されている、
請求項３に記載の光源システム。
【請求項５】
前記第１レンズは、球面レンズであり、
前記第２レンズは、非球面レンズであり、
前記第３レンズは、非球面レンズである、
請求項３又は４に記載の光源システム。
【請求項６】
前記第１角度は、２０°である、
請求項１乃至５のいずれか１項に記載の光源システム。
【請求項７】
前記第２角度は、３０°である、
請求項１乃至６のいずれか１項に記載の光源システム。
【請求項８】
光を外部へと照射する光源装置であって、
照射部及びレンズ部を４組有し、
前記照射部は、照射光を照射するＬＥＤ素子を有し、
前記レンズ部は、前記光源装置の出射面に前記照射光を集光し、
前記ＬＥＤ素子の出射面に直交する光軸と、前記光源装置の出射面に直交する出射光軸とがなす角度が２０°以下であり、
前記レンズ部によって集光された前記照射光の集光角度が３０°以下であり、
４つの前記光軸のそれぞれは、前記出射光軸に直交する第１軸に対して同一の角度で傾き、前記出射光軸及び前記第１軸に直交する第２軸に対して同一の角度で傾き、前記第１軸に沿った２つの方向のうちの一の方向と、前記第２軸に沿った２つの方向のうちの一の方向との組み合わせが異なるように傾く、
光源装置。
【手続補正２】
【補正対象書類名】明細書
【補正対象項目名】０００８
【補正方法】変更
【補正の内容】
【０００８】
上記課題を解決するために、第１の観点に係る光源システムは、
光を外部へと照射する光源装置と、
複数の光伝送路を有し、前記光源装置の出射面から出射した光が結合するライトガイドと、
を備え、
前記光源装置は、照射部及びレンズ部を４組有し、
前記照射部は、照射光を照射するＬＥＤ素子を有し、
前記レンズ部は、前記光源装置の出射面に前記照射光を集光し、
前記ＬＥＤ素子の出射面に直交する光軸と、前記光源装置の出射面に直交する出射光軸とがなす角度が第１角度以下であり、
前記レンズ部によって集光された前記照射光の集光角度が第２角度以下であり、
前記第１角度、及び前記第２角度の１／２の値それぞれは、前記ライトガイドを構成する前記光伝送路の開口数に対応する受光角度よりも小さく、
４つの前記光軸のそれぞれは、前記出射光軸に直交する第１軸に対して同一の角度で傾き、前記出射光軸及び前記第１軸に直交する第２軸に対して同一の角度で傾き、前記第１軸に沿った２つの方向のうちの一の方向と、前記第２軸に沿った２つの方向のうちの一の方向との組み合わせが異なるように傾く。
【手続補正３】
【補正対象書類名】明細書
【補正対象項目名】００１０
【補正方法】変更
【補正の内容】
【００１０】
第３の観点に係る光源システムでは、
前記レンズ部は、前記照射部側から前記光源装置の出射面側に向けて順に配置されている第１レンズ、第２レンズ、及び第３レンズを有してもよい。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
第６の観点に係る光源システムでは、
前記第１角度は、２０°であってもよい。
【手続補正６】
【補正対象書類名】明細書
【補正対象項目名】００１５
【補正方法】変更
【補正の内容】
【００１５】
第７の観点に係る光源システムでは、
前記第２角度は、３０°であってもよい。
【手続補正７】
【補正対象書類名】明細書
【補正対象項目名】００１６
【補正方法】変更
【補正の内容】
【００１６】
上記課題を解決するために、第８の観点に係る光源装置は、
光を外部へと照射する光源装置であって、
照射部及びレンズ部を４組有し、
前記照射部は、照射光を照射するＬＥＤ素子を有し、
前記レンズ部は、前記光源装置の出射面に前記照射光を集光し、
前記ＬＥＤ素子の出射面に直交する光軸と、前記光源装置の出射面に直交する出射光軸とがなす角度が２０°以下であり、
前記レンズ部によって集光された前記照射光の集光角度が３０°以下であり、
４つの前記光軸のそれぞれは、前記出射光軸に直交する第１軸に対して同一の角度で傾き、前記出射光軸及び前記第１軸に直交する第２軸に対して同一の角度で傾き、前記第１軸に沿った２つの方向のうちの一の方向と、前記第２軸に沿った２つの方向のうちの一の方向との組み合わせが異なるように傾く。
【手続補正８】
【補正対象書類名】明細書
【補正対象項目名】００３０
【補正方法】変更
【補正の内容】
【００３０】
図３及び図４を参照すると、第１照射部１２ａは、第１照射光を照射する第１発光素子１４ａを有する。第２照射部１２ｂは、第２照射光を照射する第２発光素子１４ｂを有する。第３照射部１２ｃは、第３照射光を照射する第３発光素子１４ｃを有する。第４照射部１２ｄは、第４照射光を照射する第４発光素子１４ｄを有する。第１発光素子１４ａ、第２発光素子１４ｂ、第３発光素子１４ｃ、及び第４発光素子１４ｄそれぞれは、任意の発光素子を含んでもよい。例えば、各発光素子は、ＬＥＤ（Ｌｉｇｈｔ  Ｅｍｉｔｔｉｎｇ  Ｄｉｏｄｅ：発光ダイオード）素子であってもよい。